(57)【特許請求の範囲】
【請求項１】
各々が異なる方向へ向けられた複数の発光器（１）を備えると共に、各発光器（１）について、点灯時間、消灯時間、及び発光波長、並びに相互の点滅タイミングを不定周期で変化させる点滅制御手段（２）を備えた鳥類忌避装置。
【請求項２】
前記点滅制御手段（２）は、各発光器（１）について個別専用の副制御手段（３）で構成される前記請求項１に記載の鳥類忌避装置。
【請求項３】
各方向を担当する発光器（１）として、各々発光色の異なるものを複数配設し、単数又は複数の発光器（１）をランダムに抽出して選択的に点滅させる点滅制御手段（２）を備える前記請求項１又は請求項２のいずれかに記載の鳥類忌避装置。
【請求項４】
前記発光器（１）により、発光波長が約３８０ｎｍから約４００ｎｍ以下の光線を出力する前記請求項１乃至請求項３のいずれかに記載の鳥類忌避装置。
【発明の詳細な説明】
【技術分野】
【０００１】
本発明は、変電所や発電所（以下、変電所等と記す。）の構内などにおいて、糞害や営巣による短絡・地絡事故の発生を防止し電力供給への支障を回避する手法に関する。
【背景技術】
【０００２】
変電所等の構内などに構築された鉄構では、縦横の鉄構が交差する部分等に鳥類が飛来し止まり易く、場合によっては営巣することも少なくない。かかる鳥類の飛来や営巣によって短絡・地絡事故の発生や、糞による鉄構や屋外機器・設備の腐食が大きな問題となっている。
【０００３】
従来は、構内の鉄構の鳥類が止まりやすい箇所に、黄色に着色した札、チェーン、或いはネット等が配設され、更には、配管や針山等を設置する手法が採られていたが、針山などは、巣の土台として利用される場合もあり有効な手法とはなっていなかった。この様な実情から、今日では、専ら、人手に依るこまめな巣の除去作業の繰り返しによって上記弊害が回避されている。
【発明の開示】
【発明が解決しようとする課題】
【０００４】
鳥類に対する忌避装置として多種多様のものが紹介されているが、効果の持続性が短い製品がほとんどである。これは、忌避装置から発生する刺激に対して鳥類が慣れてしまうことが大きな原因であり、カラス等、知能の発達が著しい鳥類は極めて短期間にかかる刺激に順応し得るとされている。よって、鳥類の忌避のポイントの一つは、忌避装置が発生する刺激として、鳥類が順応し難い刺激の選択にあると考えられる。
【０００５】
照明とは異なる光の存在は、住民や通行する人々に警戒心を抱かせる原因となるものである。ましてや、近隣に点滅する光が存在することは、平穏な環境を害し、殊に、夜間にあっては安眠の妨害ともなる。忌避装置から発生する刺激として光を採用する場合には、かかる事項にも配慮する必要があると考えられる。
【０００６】
変電所等の構内に設置された鉄構の多くはＬ字鋼で組み立てられており、忌避装置を平坦な箇所に設置できない場合が多い。また、地上約２ｍ以上ともなる高所での設置作業が伴うことから、出来る限り設置が容易な構造を採用する必要がある。
【０００７】
中には、下記特許文献１及び特許文献２に開示の様に、季節ごとの日周変化に応じた制御が行われ、野生の鳥獣に対し有効な威嚇警報が出される鳥獣害防止装置や、忌避すべき鳥類に対する刺激の出力をランダムに制御する形態を採った鳥類忌避装置が紹介されているが、今日の鳥類忌避装置に求められている上記要素を解決するには至っていない。
【０００８】
【特許文献１】特開２００３−３３９３０１号公報
【特許文献２】ＷＯ９７／３０５８５
【０００９】
本発明は、上記実情に鑑みて為されたものであって、鳥類が順応し難い刺激を発生する鳥類忌避装置の提供を第一の目的とし、更に、近隣住民や通行人にとっての平穏な環境を害さず設置の容易な鳥類忌避装置の提供を目的とする。
【課題を解決するための手段】
【００１０】
上記課題を解決するためになされた本発明による鳥類忌避装置は、各々が異なる方向へ向けられた複数の発光器を備えると共に、各発光器について、点灯時間、消灯時間、及び発光波長、並びに相互の点滅タイミングのうちのいずれか複数を不定周期で変化させる点滅制御手段を備えたことを特徴とする。
【００１１】
例えば、前記点滅制御手段は、各発光器について個別専用の点滅制御手段で構成される形態とすることにより、各発光器の点滅制御が非同期制御となり点滅の独立性が高められることとなる。
【００１２】
また、一説では、人が赤、緑、及び青から成る光の３原色によって色彩等の物の外観を認識しているのに対し、鳥類は、更に紫外線を加えた４原色を以って物の外観を認識しているとされている。この様に目の良い鳥の視覚に訴えて忌避効果を高めるべく、前記発光器が、約３８０ｎｍ〜約７００ｎｍの範囲の波長を持った光線を出力するものであることが望ましい。
【００１３】
設置箇所に結束される固定手段を、首振り可能なジョイント部を介して備え、前記固定手段は、結束箇所に定着される台座の離隔した箇所に、円弧状に湾曲し可撓性を持つ単数又は複数の結束線材の両端部を、各々の結束長が調整可能となる様に各々連結し、結束ループが形作られる鳥類忌避装置としても良い。
【発明の効果】
【００１４】
本発明による鳥類忌避装置によれば、発光器から出力される光の性質やタイミングをもとに、忌避効果を奏する複数の刺激を複合的に発生する事ができ、それによって鳥類に対して揺らぎを与え、より高い警戒心を以って実用的な忌避効果を得ることができる。しかも、それらの刺激は、各発光器毎に独立して各々異なる条件が与えられるべく制御され、且つその出力は不規則となることから、刺激に対する鳥類の慣れを防止し、前記忌避効果を長期に亘って継続して得ることが可能となる。
【発明を実施するための最良の形態】
【００１５】
以下、本発明による鳥類忌避装置の実施の形態を、図面を示しつつ説明する。
【００１６】
図１に示す例は、変電所の構内の鉄構等への鳥類の営巣防止等を防止する鳥類忌避装置であって、四方及び上方へ各々が９０度間隔で異なる方向へ向く様に筐体に固定された五個の発光器１たる発光ダイオード（以下、発光ダイオード１と記す。）と、各発光ダイオード１にドライブ電流を供給する発光回路８とで発光部９を構成し、前記発光ダイオード１の点滅により忌避効果を得るものである。
【００１７】
各発光ダイオード１は、発光波長が約３８０ｎｍ〜約７００ｎｍ程度のものの中から選択し、例えば、赤、緑、及び青の光線、並びに波長が４００ｎｍ程度（約３８０ｎｍ〜約４２０ｎｍ）の近紫外線を発生する発光ダイオード１をそれぞれ配設すればよい。そうすることによって、各光線が鳥類の視覚に対する刺激となる他、不規則に点滅する各光線が相互に交錯することによって、光の揺らぎを伴う複雑で再現性の希薄な刺激となって鳥類の光に対する順応を抑制することができる。
【００１８】
また、紫外線（波長４００ｎｍ以下）は、鳥類にとっては、強い刺激となる光なので、鳥類の視覚に対して効果的である反面、人間にとっては可視範囲外であることから、人間の視覚に対するノイズとなる心配は無い。そこで、人体に影響が無いとされる４００ｎｍ程度の波長を持つ近紫外線を出力として採用した。
【００１９】
指向に対する発光ダイオード１の出力波長の選択は、配設箇所の周囲の環境に合わせて決定し、特に水平方向の四方に対しては、可視光線を直接住宅街等へ向けて配設せず、近紫外線を発生する発光ダイオード１を選択することが望ましく、上方に向けては、他の発光ダイオードよりも高出力な発光ダイオード、或いは同出力の発光ダイオード１を複数配設して水平方向よりも輝度を高めることが望ましい。そうすることによって、当該光線を発する物体の上に鳥類は巣材を置かないことから、営巣を確実に防止することができる。
【００２０】
上記発光ダイオード１の点灯時間、消灯時間、及び発光波長、並びに相互の点滅タイミングは、前記筐体内に収容された点滅制御手段２を以って制御される。
【００２１】
前記点滅制御手段２は、前記発光ダイオードの数だけ存在する個別専用の点滅制御手段（以下、副制御手段３と記す。）で構成されている。設置箇所によっては、光を照射する必要の無い向きに向けられた発光器１も存在する場合もあるので、各副制御手段３に電源スイッチ１０を設け、不要なものについては、その電源スイッチ１０を切っておけば良い（図２参照）。
【００２２】
例えば、当該例における各副制御手段３は、制御すべき発光ダイオードの点灯時間と消灯時間をそれぞれ０．５秒から２秒の間で０．１秒間隔の１６種類設定することとし、点灯時間と消灯時間を決定するタイマー１１に対し当該１６種類の時間をランダムに抽出して適用する形態を採る。しかも、各副制御手段３は、非同期で独立していることから、各副制御手段３の同期状態が偶然に生じる可能性は極めて少ない構成と言える。
【００２３】
その他、前記発光ダイオード１の点灯時間、消灯時間、及び発光波長、並びに相互の点滅タイミングのうちのいずれか複数を不定周期で変化させる点滅制御手段としては、種々の態様があり、発光波長を変化させる場合には、例えば、各方向を担当する発光ダイオード１として、各々発光色の異なるものを複数配設し、単数又は複数の発光ダイオード１をランダムに抽出して選択的に点滅させる点滅制御手段２としても良い。
【００２４】
その際、各発光ダイオード１の点滅時間は、適当な手法で適宜不規則に変化させれば良く、複数の発光ダイオード１の点滅の制御を単一の制御手段で行うか、或いは複数の制御手段で行うかは、状況に応じて適宜選択すればよい。更に、多くの鳥類は、夜間に営巣を行わず、刺激が長く継続するほど順応に寄与する結果ともなるので、前記点滅制御手段２に、前記タイマー１１や光センサ１２等の入力を参照し、夜間における発光回路８の稼動を停止する時計手段１３を具備した構成とすることも望ましい。
【００２５】
また、機能させる発光ダイオード１の選択には、前記点滅制御装置２又は副制御手段３に乱数発生手段１４を設け、当該乱数発生手段１４により通電させるべき発光ダイオード１の選択スイッチ１５の制御に用いる乱数を発生させる手法を採っても良い（例えば、特開２００４−８５７４０に記載の技術）。尚、この様な乱数は、前記点灯時間と消灯時間を決定するタイマー１１の設定値を抽出する際にも用いることができる。
【００２６】
上記発光部９を制御する点滅制御手段２と電源回路１６から成る電源制御部１７は、前記発光部９と共に筐体内に納めても良いが、高所における設置作業においては、かかる装置はできる限り軽量コンパクトであることが望ましい事から、電源回路１６又は電源制御部１７を別の筐体に収納するなどの工夫を行う事が望ましい。電源は、ソーラーセル、バッテリー、或いは商用電源のいずれを用いても良い。
【００２７】
例えば、当該例の様に電源制御部１７及び発光部９を内蔵する筐体は、設置箇所に結束される固定手段４を備え、当該固定手段４と筐体との間に首振り可能なジョイント部５を備えている。
【００２８】
前記固定手段４は、結束箇所に定着される台座６の離隔した箇所に貫通孔１８，１８が等間隔で二対（単数又は複数の対となっていれば良い。）穿設され、当該貫通孔１８，１８に円弧状に湾曲し可撓性を持つ単数又は複数（当該例では二本）の結束線材７の両端部を挿通し、各々の結束長が調整可能となり、且つ離脱不能となる様にしたものである。
【００２９】
当該例にあっては、各結束線材７の両端部に、前記結束長の調整に必要な長さに亘って雄ネジ１９が切られ、前記貫通孔１８に挿通した後にナット２０が螺合されることによって、各結束線材７と台座６とが連結し結束ループが形作られる。設置に際しては、当該結束ループに設置箇所の鋼材（Ｌ字状アングル等）２１を通し、前記の如くナット２０を螺合し増し締めすることによって前記固定手段４が強固に固定され鳥類忌避装置の筐体を定着する際の土台が設定されることとなる。前記結束線材７は、定着箇所の形状に応じて、その長さ及び成形状態の異なるものを適宜選択して使用すれば良い（図４及び図５参照）。
【００３０】
前記ジョイント部５は、外球殻２２に内球体２３が同芯球上に嵌り合い、当該内球体２３とそれを覆う外球殻２２とが相互に摺動可能であって、且つ離脱不能に連結し、片側半球領域における前後左右の３６０度に亘る首振り及び回転を可能とする構造を有するものである。当該例にあっては、前記外球殻２２及び内球体２３に、前記外球殻２２又は内球体２３と前記台座６又は筐体を各々連結するアーム２４，２５を備えた構成とすることによって、実用性のある首振り角度が確保され、締結箇所の鋼材２１が傾斜して配設されている場合であっても、前記発光器１の指向方向を最も都合の良い方向に向ける事が可能となる。
【００３１】
指向方向を合わせた後は、前記外球殻２２に外側から螺号されたビス２６の頭部を以って、内球体２３の表面を押圧して首振りを規制する。
【産業上の利用可能性】
【００３２】
以上の如く、本発明による鳥類忌避装置を使用すれば、種々の配電施設における地絡・短絡事故が回避され、電力の安定供給を以って、種々の産業に寄与することとなる。
【図面の簡単な説明】
【００３３】
【図１】本発明による鳥類忌避装置の一例を示した斜視図である。
【図２】本発明による鳥類忌避装置の一例を示した機能ブロック図である。
【図３】本発明による鳥類忌避装置の一例の要部を示した機能ブロック図である。
【図４】本発明による鳥類忌避装置の実施態様例を示した斜視図である。
【図５】本発明による鳥類忌避装置の実施態様例を示した斜視図である。
【符号の説明】
【００３４】
１  発光器，２  点滅制御手段，３  副制御手段，４  固定手段，５  ジョイント部，
６  台座，７  結束線材，８  発光回路，９  発光部，１０  電源スイッチ，
１１  タイマー，１２  光センサ，１３  時計手段，１４  乱数発生手段，
１５  選択スイッチ，１６  電源回路，１７  電源制御部，
１８  貫通孔，１９  雄ネジ，２０  ナット，２１  鋼材，
２２  外球殻，２３  内球体，２４，２５  アーム，２６  ビス，
【図１】
0004836124.tif 000002
【図２】
0004836124.tif 000003
【図３】
0004836124.tif 000004
【図４】
0004836124.tif 000005
【図５】
0004836124.tif 000006